(57)【要約】【課題】コンタクトの変形がないカードコネクタを提供することを目的とする。【解決手段】ハウジング１と、該ハウジング１の表面１３に沿って配設されるとともに、カード４が前記ハウジング１の表面１３に沿って挿入されることで前記カード４の電極４１と電気的に接触する少なくとも１つのコンタクト２とを備えたカードコネクタにおいて、前記コンタクト２は、前記電極４１に接触する接点部２１と、該接点部２１から二股状に延びる一対のばね部２２と、各ばね部２２から延伸して設けられ、前記ハウジング１に固定されたばね固定部２３を有するとともに、前記ばね部２２及び接点部２１が前記ばね固定部２３から前記表面１３に沿って前記カード４の挿入方向に延びるように前記ハウジング１に配設されること。【選択図】図１
2011165560.tif 000002
【特許請求の範囲】
【請求項１】
ハウジングと、該ハウジングの表面に沿って配設されるとともに、カードが前記ハウジングの表面に沿って挿入されることで前記カードの電極と電気的に接触する少なくとも１つのコンタクトとを備えたカードコネクタにおいて、
前記コンタクトは、前記電極に接触する接点部と、該接点部から二股状に延びる一対のばね部と、各ばね部から延伸して設けられ、前記ハウジングに固定された固定部を有するとともに、前記ばね部及び接点部が前記固定部から前記表面に沿って前記カードの挿入方向に延びるように前記ハウジングに配設されることを特徴とするカードコネクタ。
【請求項２】
前記一対のばね部は、前記接点部から末広がりになるように延びることを特徴とする請求項1記載のカードコネクタ。
【請求項３】
前記コンタクトを複数有し、前記複数のコンタクトは、一つの前記コンタクトの接点部が、これと前記カードの挿入方向で隣り合う前記コンタクトの一対のばね部の間に位置するように前記ハウジングに配設されることを特徴とする請求項１又は２記載のカードコネクタ。
【請求項４】
前記コンタクトは、前記固定部に連続し、前記ハウジングの外部に突出する端子部を有することを特徴とする請求項１から請求項３までのいずれか一項に記載のカードコネクタ。
【請求項５】
前記ハウジングの表面には、前記一対のばね部及び前記接点部の形状と相似で、前記一対のばね部及び前記接点部の前記ハウジング側への変位を許容する溝が設けられていることを特徴とする請求項１から請求項４までのいずれか一項に記載のカードコネクタ。
【請求項６】
前記カードコネクタは、更に前記ハウジングの表面を覆うカバーを有し、前記ハウジングと前記カバーとの間にカード挿入部を形成していることを特徴とする請求項１から請求項５までのいずれか一項に記載のカードコネクタ。
【請求項７】
前記ハウジングと前記カバーは樹脂から一体成形されていることを特徴とする請求項６に記載のカードコネクタ。
【請求項８】
前記カバーには、前記カード挿入部から前記カードを排出するためのインジェクタが設けられていることを特徴とする請求項６又は請求項７記載のカードコネクタ。
【発明の詳細な説明】
【技術分野】
【０００１】
本発明は、ＩＣカード等に用いられるカードコネクタに関し、特に携帯電話等、携帯情報端末に搭載されるＳＩＭ（Subscriber  Identity  Module）カード等に用いられるカードコネクタに関するものである。
【背景技術】
【０００２】
ＳＩＭカード（以下、単に「カード」ともいう）を情報端末に装着する際に、ＳＩＭカードの挿入方向として、カードの短辺方向と長辺方向がある。しかし、携帯電話においては、ＳＩＭカードの占有面積は大きく、基板レイアウト上の制約から、ＳＩＭカードを横方向に（長辺方向に面して）挿抜するように配置することがある。その場合、コンタクトはカードの挿入を妨げずに、スムースに変位する必要がある。しかし、カードの挿入時にカードは上下方向、左右方向へ傾くことがあり、カードの長辺側端部がコンタクトに引っ掛り、コンタクトが変形する恐れがある。
【０００３】
カードコネクタは、通常、先端に接点部を備えた片持ち梁状のばね部を有するコンタクトを使用し、接点部をカードの下面の電極に弾性接触させている。このようなカードコネクタにおいて、カードとの信頼性ある接続を果たすためには、コンタクトのばね部のばね長をある程度長くして所定のばね特性を得る必要がある。
一方、カードを長辺側から挿入するタイプのカードコネクタでは、短辺側から挿入する場合に比べてカードの挿入方向の電極間ピッチが非常に短くなる（図４(a)に参照番号４として示すカード参照）ところから、コンタクトの接点部間ピッチが小さくなり、ばね部の延伸方向をカードの挿入方向に向けてコンタクトを配設するとばね部に所定のばね長を確保することができない。
このため、従来のこの種カードコネクタでは、ばね部をカードの挿入方向と直交する方向に延在するようにしてコンタクトを配設することで、コンタクトの接点部間ピッチを小さくすると共にばね部の長さを所定長確保し、接点部を曲面状（スプーン状）にしたり、接点部側方にガイド片を設けて、コンタクトの側方から挿入されるカードを接点部上に誘導するようにしている（特許文献１、特許文献２参照）。
【０００４】
しかし、このようなコンタクト配設構造の場合、ＳＩＭカードの挿入方向と直交する方向に延びるコンタクト（ばね部）に対し、コンタクトの側方からＳＩＭカードを挿入すると、コンタクトの先端の接触部にコンタクトの延伸方向と直交する方向に挿入力が作用するため、一端のみが固定された片持ち梁状態のコンタクトにコンタクトの固定部分を支点とした曲げ応力が働き、コンタクトが変形しやすいという問題がある。特にカードが挿入方向に対し傾斜して挿入された場合は、接触部に大きな力が働くため、コンタクト変形の恐れが大きくなる。また、コンタクトの端部にカードが引っ掛り、コンタクトの変形の恐れがある。
【０００５】
さらに、片持ち梁状態のコンタクト（ばね部）の延在する方向をカードの挿入方向と傾斜するように配置して、ばね部のばね長を確保すると共に接点部間ピッチを小さくしたカードコネクタも知られている（特許文献３参照）。この場合、カードの挿入方向と直交する方向に延びるコンタクトと比較してコンタクトに加わる応力は軽減され、コンタクトの変形の恐れは減少する。しかし、この場合も、コンタクト（ばね部）の側部がカードの挿入方向に面しており、依然として上記カードコネクタと同様の同じ問題が残る。また、カード側面にキズ等の凹凸があった場合、コンタクトのばね部が引っ掛り、変形する。さらに、コンタクトのばね部側面のエッジがカード側面を削りやすいため、カードの挿抜を繰り返すと、カードの削れが激しく、削りカスがコネクタ内部にたまる可能性もある。
【先行技術文献】
【特許文献】
【０００６】
【特許文献１】特開２０００−３６３４９号公報
【特許文献２】特開２００２−２０３６２２号公報
【特許文献３】特開２００８−１０８４５５号公報
【発明の概要】
【発明が解決しようとする課題】
【０００７】
上記したように、コンタクトのばね部がカードの挿入方向に対して直交する方向又は斜めに交差する方向に片持ち梁状態でハウジングに支持された構成においては、カード挿入時にコンタクトの先端部が変形する不具合があり、カードとの接続信頼性が低いという問題があった。
【０００８】
そこで、本発明においては、コンタクトの接点部を二股に分岐したばね部で支持し、ばね部に延伸して形成された固定部を有するコンタクトが、ばね部及び接点部が固定部からハウジングの表面に沿ってカードの挿入方向に延びるようにハウジングに配設されることにより、コンタクトの変形がなく、カードとの接続信頼性が高いカードコネクタを提供することを目的とする。
【課題を解決するための手段】
【０００９】
課題を解決するために、本発明では、ハウジングと、該ハウジングの表面に沿って配設されるとともに、カードが前記ハウジングの表面に沿って挿入されることで前記カードの電極と電気的に接触する少なくとも１つのコンタクトとを備えたカードコネクタにおいて、前記コンタクトは、前記電極に接触する接点部と、該接点部から二股状に延びる一対のばね部と、各ばね部から延伸して設けられ、前記ハウジングに固定された固定部を有するとともに、前記ばね部及び接点部が前記固定部から前記表面に沿って前記カードの挿入方向に延びるように前記ハウジングに配設されるようにした。
【００１０】
さらに、前記一対のばね部は、前記接点部から末広がりになるように延びるようにした。
【００１１】
さらに、コンタクトを複数有し、該複数のコンタクトは、一つの前記コンタクトの接点部が、これと前記カードの挿入方向で隣り合う前記コンタクトの一対のばね部の間に位置するようにして、前記ハウジングに配設されるようにした。
【００１２】
さらに、前記コンタクトは、前記固定部に連続し、前記ハウジングの外部に突出する端子部を有するようにした。
【００１３】
さらに、前記ハウジングの表面には、前記一対のばね部及び前記接点部の形状と相似で、前記一対のばね部及び前記接点部の前記ハウジング側への変位を許容する溝を設けるようにした。
【００１４】
さらに、前記カードコネクタは、更に前記ハウジングの表面を覆うカバーを有し、前記ハウジングと前記カバーとの間にカード挿入部を形成するようにした。
【００１５】
さらに、前記ハウジングと前記カバーは樹脂から一体成形するようにした。
【００１６】
さらに、前記カバーには、前記カード挿入部から前記カードを排出するためのイジェクタが設けられるようにした。
【発明の効果】
【００１７】
本発明によれば、コンタクトの変形がなく、カードとの接続信頼性を高めることができる。
【図面の簡単な説明】
【００１８】
【図１】本発明の実施形態１のカードコネクタの概観構成を示した斜視図である。
【図２】本発明の実施形態１のカードコネクタのコンタクトの概観斜視図である。
【図３】（ａ）（ｂ）（ｃ）本発明の実施形態１のカードコネクタの上面図、正面図及び側面図である。
【図４】（ａ）（ｂ）本発明の応用形態１のカードコネクタ、カバーとカードの外観構成と、カードが収納されたカードコネクタを基板に装着した状態を示す図である。
【図５】（ａ）（ｂ）（ｃ）（ｄ）本発明の応用形態２のカードコネクタとイジェクタを備えたカバーとの構造体のカード収納時とカード排出時の上面図、Ａ−Ａ断面図及びＢ−Ｂ断面図である。
【発明を実施するための形態】
【００１９】
図１は、本発明の実施形態１のカードコネクタの概観構成を示した斜視図であって、図２は、図１のカードコネクタのコンタクトの概観斜視図である。図１及び図２を参照して、本発明の実施形態１のカードコネクタ及びコンタクトについて以下に説明する。
【００２０】
図２に示すように、コンタクト２ｇ、２ｈは、カード４に形成された電極４１（図４参照）と接触する接点部２１ｇ、２１ｈ、接点部２１ｇ、２１ｈから二股に分岐し末広がりに延びるように形成された１対のばね部２２ｇ、２２ｈ、ばね部２２ｇ、２２ｈに接続されたばね固定部２３ｇ、２３ｈ、一方のばね固定部２３ｇ、２３ｈに接続された端子部２４ｇ、２４ｈから構成される。コンタクト２ｇと２ｈの違いは、コンタクト２ｇの端子部２４ｇが図２図中左側のばね固定部２３ｇに接続されているのに対し、コンタクト２ｈの端子部２４ｈは図２図中右側のばね固定部２３ｈに接続されている点にある。コンタクト２ｇ、２ｈがハウジング１の左右部分に絶縁支持される際に、端子部２４ｇ、２４ｈは、ハウジング１の左右の側端部１１からそれぞれ突出する（図１参照）。図２に示される1対のコンタクト２ｇ、２ｈは、図１に示される２列のコンタクト２ａ〜２ｆを備えたカードコネクタの、左方の列の各コンタクト２ａ〜２ｃおよび右方の列の各コンタクト２d〜２ｆにそれぞれ対応する。
【００２１】
図１は図４に示すカード４と接続するカードコネクタである。ハウジング１の表面にはカード４の電極４１の配列に合わせて左右各列に３個ずつ計６個のコンタクト２ａ〜２ｆが配設されている。
また、ハウジング１には、コンタクト２ａ〜２ｆの接点部２１ａ〜２１ｆ及びばね部２２ａ〜２２ｆに対応して、コンタクト２ａ〜２ｆの接点部２１ａ〜２１ｆ及びばね部２２ａ〜２２ｆの形状に相似の溝２５ａ〜２５ｆが形成される。さらに、各列のコンタクト２ａ〜２ｃおよび２d〜２ｆがカード４の挿入方向（図１、図４の矢印方向）に沿って近接して配設される場合、対応する溝２５ａ〜２５ｃおよび２５ｄ〜２５ｆは連続して形成される（図１参照）。
【００２２】
各コンタクト２ａ〜２ｆは、一対のばね固定部２３ａ〜２３ｆ（図示せず）が各溝２５ａ〜２５ｆの内壁部に埋設固定され、該固定部２３ａ〜２３ｆから一対のばね部２２ａ〜２２ｆおよび接点部２１ａ〜２１ｆがカード４の挿入方向に延在するようにして、ハウジング１に配設固定されている。各コンタクト２ａ〜２ｆの一対のばね部２２ａ〜２２ｆは、接点部２１ａ〜２１ｆがハウジング１の表面から上方に突出するように、上方に曲げられている（図３参照）。また、各列のコンタクト２ａ〜２ｃおよび２d〜２ｆは、一つのコンタクト例えば２ａの接点部２１ａがこれとカード４の挿入方向で隣り合うコンタクト例えば２ｂの一対のばね部２２ｂ間に位置するようにして、近接配置されている。
【００２３】
このように構成したカードコネクタは、図１に示す矢印方向からハウジング１の表面に沿って図４(a)に示すようなカード４をその長辺側から挿入すると、カード４の長辺側挿入端が接点部２１ａ〜２１ｆに当接して接点部２１ａ〜２１ｆが下方に弾性的に押し下げられ、カード４の下面に潜り込んでカード４の各電極４１に電気的に接触する。各溝２５ａ〜２５ｆは、このとき一対のばね部２２ａ〜２２ｆおよび接点部２１ａ〜２１ｆが下方に弾性変位するのを許容する逃げ溝となる。
ここで、コンタクト２ａ〜２ｆ、接点部２１ａ〜２１ｆ、ばね部２２ａ〜２２ｆ、ばね固定部２３ａ〜２３ｆ、端子部２４ａ〜２４ｆ及び溝２５ａ〜２５ｆの各構成要素を、コンタクト２、接点部２１、ばね部２２、ばね固定部２３、端子部２４及び溝２５ともいう。
【００２４】
ばね固定部２３から一対のばね部２２および接点部２１がカード挿入方向に延在しているので、カード挿入時、コンタクト（ばね部）の側部からほとんど力を受けることはない。また、接点部２１が二股に分岐した１対のばね部２２に支持されるので、カード４の挿入時にカード４が挿入方向に対して傾斜して挿入されても、変形（撓み）に対する強度が高く、耐久力にも優れている。
また、複数のコンタクト（例えば、２ａ、２ｂ）は、一つのコンタクトの接点部（例えば、２１ａ）が、隣り合うコンタクトの一対のばね部（例えば、２２ｂ）間に位置するように、ハウジングに配設される。したがって、ばね部２２のばね長をある程度長く確保しながら接点部２１間のピッチ間隔が小さくなるようにコンタクトを配設できる。ハウジング１内において、複数のコンタクト２（２ａ、２ｂ、２ｃ）をカード４の挿入方向に効率よく配置でき、また、カード４の挿入方向に形成されるコネクタ２の数が同じであれば、より短い挿入方向長さで配置できる。
したがって、実施形態１のカードコネクタによれば、接点部２１間ピッチを小さくしても、コンタクト２の変形の恐れがなく、カード４との信頼性ある接続ができる。
【００２５】
コンタクト２のばね固定部２３がハウジング１に絶縁保持され、端子部２４がハウジング１の外側に突出して形成されるため、端子部２４を容易に基板７に固定でき、また、端子部２４によりコンタクト２とともにハウジング１も基板７に確実に固定できる。
さらに、図１では、ばね固定部２３ａないし２３ｆは、ハウジング１に埋め込まれて、絶縁支持されるが、圧入手段あるいは係止手段等他の手段によりハウジング１に絶縁支持するようにしても構わない。
【００２６】
ハウジング１は、少なくともハウジング１内に支持されたコンタクト２を相互に絶縁分離する必要があるが、ハウジング１全体を絶縁材料で形成する必要はない。例えば、ハウジング１内に補強用の導電材料の部材が埋め込まれてもよいが、補強用の導電材料の部材は、コンタクト２に接触しないように、ハウジング１内又は表面に埋め込む。
【００２７】
（変形例１）
図１に示すコンタクト２をカードの挿入方向に直交する方向に１つハウジングに絶縁保持するとき、コンタクト２の端子部２４は、1対のばね部２２から延在するばね固定部２３を介して両側に１対形成され、突出する。さらに、上記のように絶縁保持する複数のコンタクト２は、ハウジング１内でカードの挿入方向に平行に１列だけ配置される。
【００２８】
(変形例２）
図１に示すコンタクト２をカードの挿入方向と直交する方向に３列以上、例えば、３列、ハウジングに絶縁保持するとき、ハウジング１の左右の側端部１１に配置されるコンタクト２の端子部２４は、ハウジング１の左右の側端部１１から外方に突出する。しかし、カードの挿入方向に直交する方向で中央に位置するコンタクト２の端子部２４は、ハウジング１の左右の側端部１１のいずれの端部からも外方に突出せず、ハウジング１の裏面１４から端子部２４の下面が露出する。また、端子部２４の下面がハウジング１の裏面１４とほぼ同じ高さとなるように、ハウジング１に絶縁保持される。
【００２９】
図３（ａ）（ｂ）（ｃ）は、それぞれ、本発明の実施形態１のカードコネクタの上面図、正面図及び側面図である。
図３（ａ）の上面図では、コンタクト２の接点部２１及びばね部２２をハウジング１の表面に投影した部分を含む形状で溝２５が示され、ハウジング１の端部から左右に端子部２４が突出している。また、図３（ｂ）の正面図では、ハウジング１の表面１３より上にばね部２２の一部と接点部２１が突出しており、左右に端子部２４が突出している。端子部２４の底面は、ハウジング１の底面とほぼ同じ高さである。また、コンタクト２のばね固定部２３に接続するばね部２２の一部が溝２５に収容された状態で形成されるので、ハウジング１を薄く形成できる。さらに、図３（ｃ）の側面図には、ハウジング１の表面１３より上にばね部２２の一部と接点部２１が突出しており、ハウジング１の側端部に端子部２４が示される。
【００３０】
ハウジング１とカバー３との間に形成されたカード挿入部６（図４参照）にハウジング１の表面１３に沿って、カード４が図１、図４の矢印方向に挿入されるときのコンタクト２の動作について説明する。
カード４が、カード挿入部６に対し、カードの長辺方向に直交する方向（図１、図４の矢印方向）に挿入される。すると、カード４の前端部４２は、まずハウジング１の前端部１２の最も近くに位置するコンタクト２ａ、２ｄの接点部２１ａ、２１ｄに接触する。このとき、カード４の挿入方向に対して、コンタクト２ａ、２ｄは山形の曲面であって端面がないので、カード４の挿入時にカード４がコンタクト２ａ、２ｄの端面に引っ掛ることなく、コンタクト２ａ、２ｄは上下方向に弾性変形する。
【００３１】
カード４を更に表面１３に沿って挿入すると、カード４の裏面４３に接触する接点部２１ａ、２１ｄは下方に押し下げられ、それと共に、ばね部２２ａ、２２ｄも下方に撓み変形する。このとき、コンタクト２ａ，２ｄの山形の曲面の接点部２１ａ、２１ｄは、カード４の裏面４３に接触するが、コンタクト２ａ、２ｄの他の部分、例えば、ばね部２２ａ、２２ｄはカード４の裏面４３に接触しない。ばね部２２ａ、２２ｄがばね固定部２３ａ、２３ｄに接続される近傍では、ばね部２２ａ、２２ｄは、溝２５ａ、２５ｄ内でハウジング１の表面１３より下に位置している。そして、カード４が挿入される前にハウジング１の表面１３より上に位置しているばね部２２ａ、２２ｄの一部は、接点部２１ａ、２１ｄ及びばね部２２ａ、２２ｄが下方に変形すると、ハウジング１の表面１３より低い位置の溝２５ａ、２５ｄ内に収容される（図１〜図３参照）。
【００３２】
次に、カード４の前端部４２で左右の高さ（ハウジング１の表面１３からの距離）が異なる状態でカードを表面１３に挿入すると、まず、例えば、山形の曲面の接点部２１ａに、カード４の前端部４２が接触する。このとき、カード４の挿入方向に対し、コンタクト２ａは端面がないので、カード４の挿入時にカード４がコンタクト２ａの端面に引っ掛ることによる変形は生じない。また、接触した接点部２１ａは、いずれも二股に分岐した１対のばね部２２ａに連結して、ばね部２２ａは常に接点部２１ａより下方に位置するので、カード４の前端部４２によりコンタクト２ａは破損されない。
【００３３】
カード４がさらに表面１３に沿って挿入されると、先にカード４の前端部４２に接触した接点部２１ａはカード４の裏面４３に接触し、他方の接点部２１ｄはカード４の前端部４２に接触する。この場合も、先にカード４の前端部４２に接触したコンタクト２ａと同様に、カード４の挿入方向に対しては、コンタクト２ｄは端面がないので、接点部は下方へ撓み変形するが、コンタクトは破損されない。
【００３４】
更にカード４が挿入方向に挿入されると、カード４の前端部４２がハウジング１の前端部１２に近接配置されたコンタクト２から、例えば、２ａ、２ｄ、２ｂ、２ｅ、２ｃ、２ｆの順に接触し、カード４の裏面４３により接点部２１が、例えば、２１ａ、２１ｄ、２１ｂ、２１ｅ、２１ｃ、２１ｆの順に下方に変形し、それに伴い、接点部２１に接続する１対のばね部２２も、例えば、２２ａ、２２ｄ、２２ｂ、２２ｅ、２２ｃ、２２ｆの順に下方に弾性変形する。最後に、カード挿入部６の最も奥まで挿入され、カード４の前端部４２がカバー３の後端部３２に接触すると、各コンタクト２の接点部２１は対応する位置に配設された電極４１にそれぞれ導電接触し、挿入動作が完了する。
【００３５】
また、カード４は、カバー３の下面、コンタクト２の接点部２１及びカード挿入部６の側面に沿って挿入される。さらに、各接点部２１はそれぞれ対応する１対のばね部２２により支持されており、カード４の挿入時のカード４による下方への応力は、１対のばね部２２の弾性変形により吸収されるので、カードの挿入時の最初と最後でカードを挿入するために必要な力が余り変化せず、スムースにカード４が挿入できる。
【００３６】
ハウジング１の溝２５により、コンタクト２の接点部２１及びばね部２２が変形可能な空間を十分に確保できると共に、カード４の挿入時にコンタクト２のばね部２２が変形したとき、変形したばね部２２の一部は溝２５に収容できるので、コンタクト２を含むハウジング１の高さ（厚さ）を溝２５が形成されない場合よりも低く（薄く）できる。
【００３７】
実施形態１、変形例１及び変形例２においては、ハウジング１にコンタクト２が、カード４の挿入方向に平行に配列されたカードコネクタを説明したが、コンタクト２は、カード４の挿入方向と直交する方向がカードの長辺方向であって、カードの挿入方向と平行にコンタクト２を１列又は２列以上配列したものでもよい。
また、カード４の挿入方向が、カード４の長辺方向又は短辺方向のいずれであっても、コンタクト２の配列及び数が、カード４に形成された電極の配列及び数と１対１に対応して形成されたものであればよい。ここで、コンタクト２の数は１つ以上であればよい。
【００３８】
また、コンタクト２の接点部２１は、実施形態１においては１本であったが、接点部２１が山形の曲面に形成されていれば、接点部２１の先端が複数に分岐したものでもよい。
さらに、コンタクト２の二股に分岐したばね部２２は、分岐した形状であればよく、接点部２１に接続した1対のばね部２２のなす角度は、０度以上１８０度以下であればよく、９０度ないし１５０度が望ましい。また、1対のばね部２２のなす角度が90度以下の場合には、カードの挿入方向に配置できるコンタクトの数が減少し、また、1対のばね部２２のなす角度が1５0度以上の場合には、ばね部２２の弾性強度が減少する。
【００３９】
これまで、ハウジング１の表面１３（上側）にコンタクト２が形成され、ハウジング１の表面に沿って、カード裏面４３に電極４１が形成されたカード４を挿入することを前提に説明した。しかし、ハウジング１の下側にコンタクト２が露出するようにハウジング１が配置され、ハウジング１の下側の面(表面）に沿って、電極４１が形成されたカード裏面４３が上側になるようにカード４をカード挿入部に挿入する形態においては、ハウジング１の下側の面を表面とする。また、ハウジング１の表面１３が側面となるような配置においても、ハウジング１に形成されたコンタクト２の配列された面を表面とする。  
【００４０】
図４（ａ）（ｂ）は、本発明の応用形態１のカードコネクタ、カバーとカードの外観構成と、カードが収納されたカードコネクタを基板に装着した状態を示す図である。
応用形態１のカードコネクタは、実施形態１のカードコネクタに、ハウジング１を覆うカバー３を更に設け、その間にカード挿入部６を形成するようにしたものである。
コンタクト２を絶縁保持したハウジング１と、カバー３とを、基板７上に搭載固定することで、ハウジング１とカバー３の間に、カード挿入部６が形成される（図４（ｂ）参照）。
ハウジング１は、コンタクト２の端子部２４を基板７のパッド（図示せず）に半田付けすることで、基板７に固定される。
【００４１】
カバー３は、金属板製で、天板部３５と左右端縁から下方に折り曲げられた側板部３６と、側板部３６の下端から内方に折り曲げられた突片３３と、天板部３５の後端から下方に折り曲げられた後板部３２と、側板部３６の一部が側方に切り起こされて形成された基板接続部３１とを有し、天板部３５と突片３３の間の溝は、カード４をカード挿入部６に挿入する際に、カード４の左右両側縁部を受け入れ挿入案内するガイド溝３４を形成している。
カバー３は、ハウジング１を覆うようにして基板７上に搭載し、基板接続部３１を基板７のパッド（図示せず）に半田付けすることで固定される。
ここで、ハウジング１とカバー３とは、樹脂材により一体的に形成できる。ハウジング１とカバー３との一体形成により、ハウジング１とカバー３との構造体の形成が一体的な樹脂形成工程で実施できる。この一体的な工程は、ハウジング１とカバー３を別工程で形成するより、工程が簡略化できる。
【００４２】
図４（ｂ）は、ハウジング１とカバー３との構成体のカード挿入部６へ、カード４を、図４（ａ）に示す矢印方向に挿入した状態である。カード４の両側縁をカバー３の両側のガイド溝３４に挿入して案内させつつカード４をカード挿入部６内に挿入する。カード４がカード挿入部６の最奥部まで挿入されると（図４の挿入状態）、各コンタクト２の接点部２１がカード４の下面の各電極４１に弾性接触し電気的に接続する。
本発明の応用形態１のカードコネクタにおいては、ハウジング１上をカバー３で覆いその間にカード挿入部６を形成するようにしたので、カード４を容易に挿入でき、確実に接続保持できる。
【００４３】
図５（ａ）（ｂ）は、それぞれ、本発明の応用形態２のカードコネクタとイジェクタを備えたカバーとの構造体のカード収納時とカード排出時の上面図で、（ｃ）（ｄ）は、それぞれ、（ａ）のＡ−Ａ断面図及び（ｂ）のＢ−Ｂ断面図である。
応用形態２のカードコネクタは、応用形態１のカードコネクタのカバー３に、更にイジェクタ５を設けたものである。
イジェクタ５は、挿入されたカード４を必要なとき自在に排出するための構成要素であって、その構成と機能について以下に説明する。
【００４４】
イジェクタ５は、金属板製でカバー３の天板部３５にカード４の挿入排出方向に移動可能に装着されており、一端（挿入側端部）はカード挿入部内に突出して爪部５２を形成し、他端（排出側端部）は天板部３５上に突出して突起部５１を形成している。
イジェクタ５を備えたカバー３とハウジング１との構成体のカード挿入部６に、カード４をハウジング１の表面１３に沿って挿入すると、カード４の前端部４２がイジェクタ５の爪部５２に係止される。そして、カード４がカード挿入部６の奥まで挿入され、カード４の前端部４２に係止されたイジェクタ５の爪部５２がカバー３の後板部３２に接するまで挿入され、カード４の挿入とともにイジェクタ５も後方に移動すると、カード４の挿入は完了し、図５（ａ）の状態となる。そのとき、イジェクタ５の突起部５１は、最も後方に位置している。
図５（ａ）のカード収納時のＡ−Ａ断面図が図５（ｃ）に示されており、基板７に固定されたハウジング１とカバー３の間のカード挿入部６にカード４が収容され、カード４の電極４１がコンタクト２の接点部２１に接触した状態となる。また、イジェクタ５の爪部５２は、カバー３の後端部３２と同じところに位置している。
【００４５】
そして、カード４を排出するため、カード４の前端部４２を係止する爪部５２を備えたイジェクタ５の突起部５１を図５（ｂ）の矢印方向に引くと、イジェクタ５の爪部５２にカード４の前端部４２が係止され、イジェクタ５の前方への移動と共にカード４は矢印方向に排出される。
【００４６】
なお、イジェクタ５の形状は図５（ａ）ないし（ｄ）に記載したものに限定されず、カード４がカード挿入部６から挿入された状態で、イジェクタ５の突起部５１をカード４の挿入方向と逆方向に操作することにより、カード４を取り出せる構造のものであればどのようなものでもよい。例えば、イジェクタ５がカバー３の天板部３５でなく、側板部３６に形成されてもよく、イジェクタ５の突起部５１が側板部３６外面に突出しているものでもよい。さらに、挿入されたカード４を排出できる構成であれば、図５（ａ）（ｂ）で示したような形状構造のイジェクタ５に限らず、どのようなものでもよい。
このように、カバー３にイジェクタ５を設けると、カード４の取り出しが容易となる。
【符号の説明】
【００４７】
１    ハウジング
１１    ハウジング側端部
１２    ハウジング前端部
１３    表面
１４    裏面
２、２ａ〜２ｈ    コンタクト
２１、２１ａ〜２１ｈ    接点部
２２、２２ａ〜２２ｈ    ばね部
２３、２３ａ〜２３ｈ    ばね固定部
２４、２４ａ〜２４ｈ    端子部
２５、２５ａ〜２５ｈ    溝
３    カバー
３１    基板接続部
３２    後板部
３３    突片
３４    ガイド溝
３５    天板部
３６    側板部
４    カード
４１    電極
４２    前端部
４３    カード裏面
５    イジェクタ
５１    突起部
５２    爪部
６    カード挿入部
７    基板
【図１】
2011165560.tif 000003
【図２】
2011165560.tif 000004
【図３】
2011165560.tif 000005
【図４】
2011165560.tif 000006
【図５】
2011165560.tif 000007